(57)【要約】【課題】ビスや接着剤を用いずに、板金部品を光学ベースにがたつきなく取り付ける。【解決手段】光学ベース１０に、板金部品５０のフランジ部５３に重なり合った押え部２６と、板金部品５０の面板部５１を押し上げてフランジ部５３を押え部２６に押し付ける突起３１と、板金部品５０を幅方向Ｗで挟んで位置決めする幅方向位置決め機構Ｂと、板金部品５０を奥行方向Ｄで挟んで位置決めする奥行方向位置決め機構Ｃと、を設ける。幅方向位置決め機構Ｂを押え部２６によって形成する。奥行方向位置決め機構Ｃを、フランジ部５３に当接する段差部２８と突条部４１とによって形成する。板金部品５０によって、光学ベース１０に取り付けられて光学アクチュエータ７０の取付スペース７４の周囲に配備されるカバー体６０を構成することが可能である。【選択図】図３
2012155811.tif 000002
【特許請求の範囲】
【請求項１】
光ピックアップの光学ベースに対する板金部品の取付構造であって、
上記光学ベースが、上記板金部品の幅方向両端部のそれぞれに設けられた一対のフランジ部に各別に重なり合った一対の押え部と、一対の上記フランジ部が連結された上記板金部品の面板部を押し上げてそれらのフランジ部を一対の上記押え部に押し付ける突起と、上記板金部品を幅方向で挟んで位置決めする幅方向位置決め機構と、上記板金部品を奥行方向で挟んで位置決めする奥行方向位置決め機構と、を備えていることを特徴とする光ピックアップの板金部品取付構造。
【請求項２】
上記フランジ部が、上記面板部の端部に曲成されたリブ状片部とこのリブ状片部の端部に曲成された平板部とを備えるＬ字形に形成されている請求項１に記載した光ピックアップの板金部品取付構造。
【請求項３】
上記フランジ部が上記面板部の奥行方向に伸びる板片形状を有してそのリブ状片部の奥行方向全長部分が上記面板部に連設されていると共に、上記突起が、一対の上記フランジ部の対向領域内で上記面板部を押し上げている請求項２に記載した光ピックアップの板金部品取付構造。
【請求項４】
上記突起が、上記面板部をその弾性に抗して押し上げている請求項２又は請求項３に記載した光ピックアップの板金部品取付構造。
【請求項５】
上記突起の外面に具備された球面が上記面板部を押し上げている請求項２ないし請求項４のいずれか１項に記載した光ピックアップの板金部品取付構造。
【請求項６】
上記突起が、上記光学ベースの幅方向２箇所に備わっている請求項１ないし請求項５のいずれか１項に記載した光ピックアップの板金部品取付構造。
【請求項７】
上記幅方向位置決め機構が、一対の上記フランジ部のリブ状片部に各別に当接する一対の上記押え部によって形成されている請求項２ないし請求項６のいずれか１項に記載した光ピックアップの板金部品取付構造。
【請求項８】
上記奥行方向位置決め機構が、上記光学ベースに設けられて一対の上記フランジ部の奥側端部に各別に当接する一対の段差部と、上記光学ベースに設けられて上記面板部の手前側端部に曲成された折曲げ片に当接する係合面を備えた突条部と、によって形成されている請求項２ないし請求項６のいずれか１項に記載した光ピックアップの板金部品取付構造。
【請求項９】
上記光学ベースが、その押え部の裏側に上記板金部品のフランジ部の平板部がスライドして挿入されるスライド空間を有していると共に、上記突条部の外面が、上記折曲げ片をスライドさせて当該突条部を乗り越えさせる乗上りガイド面として形成されている請求項８に記載した光ピックアップの板金部品取付構造。
【請求項１０】
上記板金部品が、上記光学ベースに取り付けられる可動子としての光学アクチュエータの取付スペースの周囲に配備されるカバー体を構成している請求項１ないし請求項９のいずれか１項に記載した光ピックアップの板金部品取付構造。
【発明の詳細な説明】
【技術分野】
【０００１】
本発明は、記録媒体であるディスクの記録面を光学的に処理することに用いられる光ピックアップの光学ベースに、カバー体などの板金部品を装備させることに採用される光ピックアップの板金部品取付構造に関する。
【背景技術】
【０００２】
光ピックアップは、発光素子や受光素子、ミラー、その他の光学部品が組み付けられた光学ベースに、対物レンズや電磁駆動手段を備えた可動子としての光学アクチュエータを取り付けることによって構成されている。そして、この種の光ピックアップでは、光学ベースに、防塵用、電磁シールド用、光学ベース補強用などのカバー体を装着することが多く、そのカバー体は、多くの場合に板金に一定の機械的加工を施することによって製作された板金部品でなる。
【０００３】
図８〜図１１には従来例としてのこの種の板金部品の取付構造を例示してある。図８に断面図で示した従来例では、光学ベース１０に重ね合わせた板金部品１００をビス１１０を用いてねじ止めしている。図９に概略斜視図で示した従来例は、光学ベース１０に重ね合わせた板金部品１００にスリット状の溝１２０を形成しておき、その溝１２０を利用し、板金部品１００と光学ベース１０とに亘って接着剤としての硬化型グリス（不図示）を塗布した後に硬化させるという事例である。図１０に断面図で示した従来例では、光学ベース１０に設けた係合爪１１に、板金部品１００に形成した係合孔部１３０の孔縁１３１を係合させている。図１１に断面図で示した従来例では、光学ベース１０に乗上り面１２を備えた係合爪１３を具備させておき、板金部品１００を光学ベース１０に重ね合わせるときに、板金部品１００側に設けられている舌片状の係合片部１４０を上記乗上り面１２でスライドさせて係合爪１３を乗り越えさせる。そうすることによって、係合片部１４０の係合孔部１５０の孔縁１５１を係合爪１３に係合させている。
【０００４】
一方、先行例には、光ピックアップのベースにカバーを装着する構造として、カバーに設けた一対のフック片の切込みを、ベースに設けた一対の突出部に各別に差し込んで係合させるというものが提案されている（たとえば、特許文献１参照）。このものは、カバーをベースに重ね合わせるときに、フックの切込みを突出部に差し込むという点で、図１１に示した取付構造に類似しているということが云える。また、他の先行例には、ピックアップの制御基板をメカフレームに装着する構造として、制御基板の係止突起をメカフレーム側の係止溝に挟み込むことに加えて、制御基板をフカフレームにビス止めすることを内容とする構成が開示されている。このものは、ビス止めを行うという点で、図８に示した取付構造に類似している。そのほか、光ピックアップのシャーシにフレームを傾角調整可能に取り付けるための構造、プリンタの内蓋を確実に閉塞するための構造、などについての研究も行われている（たとえば、特許文献３、特許文献４参照）。
【先行技術文献】
【特許文献】
【０００５】
【特許文献１】特開２００６−１３４４４３号公報
【特許文献２】ＷＯ２００６／０８２８８９号公報
【特許文献３】特開２００８−１３５０９５号公報
【特許文献４】特開２００４−１８１６９４号公報
【発明の概要】
【発明が解決しようとする課題】
【０００６】
しかしながら、図８〜図１１を参照して説明した従来例のうち、図８や図９の構造ではビス１１０や接着剤としての硬化型グリスが余分に必要になってそれたけコスト高になるという問題があり、図１０や図１１の構造では係合箇所にがたつきが生じやすいために、板金部品を光学ベースにがたつきなく取り付けることに困難が伴うという問題があった。
【０００７】
本発明は、以上の状況に鑑みてなされたものであり、ビスや接着剤を用いる必要がないにもかかわらず、板金部品を光学ベースにがたつきなく容易にかつ確実に取り付けることのできる光ピックアップの板金部品取付構造を提供することを目的とする。
【課題を解決するための手段】
【０００８】
本発明に係る光ピックアップの板金部品取付構造は、光ピックアップの光学ベースに対する板金部品の取付構造であって、上記光学ベースが、上記板金部品の幅方向両端部のそれぞれに設けられた一対のフランジ部に各別に重なり合った一対の押え部と、一対の上記フランジ部が連結された上記板金部品の面板部を押し上げてそれらのフランジ部を一対の上記押え部に押し付ける突起と、上記板金部品を幅方向で挟んで位置決めする幅方向位置決め機構と、上記板金部品を奥行方向で挟んで位置決めする奥行方向位置決め機構と、を備えている。
【０００９】
この構成であると、板金部品の面板部を光学ベース側の突起が押し上げることによって、板金部品の一対のフランジ部を光学ベース側の一対の押え部に各別に押し付けていることにより、板金部品のフランジ部と光学ベース側の押え部との間にがたつきが生じず、しかも、板金部品は、押え部による押付け方向（上下方向）で位置決めされる。また、板金部品の幅方向及び奥行方向での位置決めが、幅方向位置決め機構及び奥行方向位置決め機構によって行われる。したがって、板金部品を光学ベースにねじ止めしたり接着剤で接合したりすることなく、板金部品が光学ベースにがたつきなく取り付けられる。
【００１０】
本発明では、上記フランジ部が、上記面板部の端部に曲成されたリブ状片部とこのリブ状片部の端部に曲成された平板部とを備えるＬ字形に形成されていることが望ましい。この構成を採用すると、Ｌ字形のフランジ部が面板部をその両側で補強する作用を発揮する。
【００１１】
また、本発明では、上記フランジ部が上記面板部の奥行方向に伸びる板片形状を有してそのリブ状片部の奥行方向全長部分が上記面板部に連設されていると共に、上記突起が、一対の上記フランジ部の対向領域内で上記面板部を押し上げているという構成を採用することが望ましい。この構成であると、Ｌ字形のフランジ部によって補強されている面板部が突起によって押し上げられることになるため、面板部を押し上げる突起の作用が、フランジ部に確実に伝達されるようになり、そのことが、フランジ部と押え部との間にがたつきを生じさせないようにすることに役立つ。この作用は、上記突起が、上記面板部をその弾性に抗して押し上げている、という構成を採用することによっていっそう確実に発揮される。
【００１２】
本発明では、上記突起の外面に具備された球面が上記面板部を押し上げている、という構成を採用することが望ましい。このように突起の外面が球面であると、面板部とその面板部を押し上げている突起とが点接触するので、突起によって面板部を弾性的に撓ませて押し上げさせる上で有利である。
【００１３】
本発明では、上記突起が、上記光学ベースの幅方向２箇所に備わっている、という構成を採用することが可能であり、この構成を採用することによって、突起の高さを低く抑えることが可能になる。
【００１４】
本発明では、上記幅方向位置決め機構が、一対の上記フランジ部のリブ状片部に各別に当接する一対の上記押え部によって形成されているという構成を採用することができる。
【００１５】
また、本発明では、上記奥行方向位置決め機構が、上記光学ベースに設けられて一対の上記フランジ部の奥側端部に各別に当接する一対の段差部と、上記光学ベースに設けられて上記面板部の手前側端部に曲成された折曲げ片に当接する係合面を備えた突条部と、によって形成されている、という構成を採用することが可能である。
【００１６】
本発明では、上記光学ベースが、その押え部の裏側に上記板金部品のフランジ部の平板部がスライドして挿入されるスライド空間を有していると共に、上記突条部の外面が、上記折曲げ片をスライドさせて当該突条部を乗り越えさせる乗上りガイド面として形成されていることが望ましい。この構成を採用すると、板金部品をスライドさせて光学ベースに取り付けることができる。
【００１７】
本発明では、上記板金部品が、上記光学ベースに取り付けられる可動子としての光学アクチュエータの取付スペースの周囲に配備されるカバー体を構成している、という構成を採用することが可能である。
【発明の効果】
【００１８】
本発明によると、光学ベース側の突起により板金部品の面板部を押し上げるという作用を通じて、板金部品のフランジ部を光学ベース側の押え部に押し付けていて、しかも、上下方向で板金部品ががたつきなく位置決めされ、幅方向及び奥行方向でも板金部品が位置決めされているので、ビスや接着剤を用いずに、板金部品を光学ベースにがたつきなく容易にかつ確実に取り付けることが可能になる。
【図面の簡単な説明】
【００１９】
【図１】本発明の実施形態に係る板金部品取付構造が適用される光学ベースの要部の概略斜視図である。
【図２】板金部品の取付手順を例示した光学ベースの要部の概略斜視図である。
【図３】板金部品取付構造が適用された光学ベースの要部の概略斜視図である。
【図４】板金部品の斜視図である。
【図５】光学ベース及び板金部品を説明的に示した概略垂直断面図である。
【図６】変形例による光学ベース及び板金部品を説明的に示した概略垂直断面図である。
【図７】奥行方向で光学ベースを切断して説明的に示した概略垂直断面図である。
【図８】従来例の断面図である。
【図９】他の従来例の概略斜視図である。
【図１０】さらに他の従来例の断面図である。
【図１１】さらに他の従来例の断面図である。
【発明を実施するための形態】
【００２０】
図１は本発明の実施形態に係る板金部品取付構造が適用される光学ベース１０の要部の概略斜視図、図２は板金部品５０の取付手順を例示した光学ベース１０の要部の概略斜視図、図３は上記板金部品取付構造が適用された光学ベース１０の要部の概略斜視図である。
【００２１】
図１〜図３のように、光学ベース１０には、可動子としての光学アクチュエータ７０が組み付けられていて、これらの光学ベース１０と光学アクチュエータ７０との組み合わせによって光ピックアップが構成されている。光学アクチュエータ７０は、対物レンズ７１を保持しているレンズホルダー７２のほか、コイル７３などを含む電磁駆動機構（不図示）を備えていて、その電磁駆動機構の作用でフォーカス方向やトラッキング方向といった多方向に変位可能になっている。
【００２２】
光学ベース１０は樹脂成形体でなる。光学ベース１０には、光学アクチュエータ７０のレンズホルダー７２の取付スペースである凹入部７４の手前側に、平面視矩形の座部２１が備わり、その座部２１の上面の左右対称位置に１つずつの突起３１，３１が設けられている。これらの突起３１，３１はその外面が球面に形成されている。また、座部２１の幅方向両端部に、リブ状に形成された平面視Ｕ字形の突条２２，２２が連設されている。この突条２２は、座部２１の幅方向端部から奥側に延び出た内側突部２３と、この内側突部２３の外側でその内側突部２３に沿う形状の外側突部２４と、これらの内側突部２３及び外側突部２４の奥行方向端部の相互間に亘る横行部２４と、によって形成されている。そして、外側突部２４と横行部２４とによって形作られるコーナ部に、板片状の押え部２６が一体に形成されていて、その押え部２６の裏側の空間が、後述するスライド空間Ｓとされている。また、座部２１のさらに手前側には、横長の突条部４１が設けられている。この突条部４１は、その前端面が光学ベース１０の上面から垂直に立ち上がって上記座部２２の端面２７に隙間４５を隔てて対向する横長の係合面４２を有している。また、突条部４１の手前側端部の上面全幅部分が、奥側に向かう上がり勾配の乗上りガイド面４３として形成されている。これに対し、上記突条２２の横行部２４の端面は、突条部４１の係合面４２に奥行方向Ｄで対向する段差部２８として形成されている。
【００２３】
図４は板金部品５０の斜視図である。図例の板金部品５０は、図１に示した光学ベース１０に取り付けられた可動子としての光学アクチュエータ４０の取付スペース（凹入部４４）の周囲に配備されるカバー体６０として用いられる。この板金部品５０は、凹入部５２を有する面板部５１と、この面板部５１の幅方向両側に連設されている一対のフランジ部５３，５３と、面板部５１の手前側端部に曲成された折曲げ片５６とを備えている。フランジ部５３は、面板部５１の端部に曲成されたリブ状片部５４とこのリブ状片部５４の端部に外向きに曲成された平板部５５とを備えるＬ字形に形成されている。そして、このフランジ部５３が面板部５１の奥行方向に伸びていて、そのリブ状片部５４の奥行方向全長部分が面板部５１に連設されている。なお、図４において、符号５７は、面板部５１の一部を形成して凹入部５２の両側に位置している突片部を示している。
【００２４】
次に、図１〜図３を参照してカバー体６０としての板金部品５０を光学ベース１０に取り付ける手順の一例を説明する。この手順の最初の段階では、図２のように板金部品５０を、その手前側端部が上になる姿勢に傾斜させて、その凹入部５２を光学ベース１０に取り付けられている光学アクチュエータ７０に臨ませると共に、一対のフランジ部５３，５３のそれぞれの平板部５５を、光学ベース１０の幅方向両側に位置している一対の押え部２６，２６の裏側のスライド空間Ｓ，Ｓ（図１参照）にそれらの手前側から臨ませる。この後、板金部品５０の手前側端部を下げて折曲げ片５６を光学ベース１０の上に下ろす。この操作を行うと、折曲げ片５６が突条部４１の乗上りガイド面４３の上、又は、乗上りガイド面４３の手前側の光学ベース１０の上面に載架される。次に、作業者が手の指で板金部品５０を奥側に押し込む操作を行うと、板金部品５０の折曲げ片５６が突条部４１の乗上りガイド面４３をスライドして突条部４１に乗り上がった後、その突条部４１を乗り越えて突条部４１と座部２１の端面２７との間の隙間４５に嵌まり込む。併せて、一対のフランジ部５３，５３のそれぞれの平板部５５が、一対の押え部２６，２６の裏側のそれぞれのスライド空間Ｓに挿入される。図３は、この手順を経て光学ベース１０に板金部品５０でなるカバー６０が装着された状態を示している。
【００２５】
次に、図５〜図７を参照して、上記した突起３１と押え部２６とによる作用、カバー体６０としての板金部品５０を垂直方向で位置決めするための垂直方向位置決め機構Ａ、カバー体６０としての板金部品５０を幅方向で位置決めするための幅方向位置決め機構Ｂ、カバー体６０としての板金部品５０を奥行方向で位置決めするための奥行方向位置決め機構Ｃを説明する。
【００２６】
図５は、図３の幅方向Ｗで光学ベース１０及び板金部品５０を切断して説明的に示した概略垂直断面図、図６は、幅方向Ｗで変形例による光学ベース１０及び板金部品５０を切断して説明的に示した概略垂直断面図、図７は奥行方向Ｄで光学ベース１０を切断して説明的に示した概略垂直断面図である。
【００２７】
図５のように、光学ベース１０の座部２１に設けられている左右２箇所の突起３１，３１が、板金部品５０の面板部５１を押し上げている。そして、突起３１，３１が板金部品５０の面板部５１を押し上げていることにより、板金部品５０の一対のフランジ部５３，５３の平板部５５，５５が、一対の押え部２６，２６によって各別に下向きに押し付けられている。この実施形態では、突起３１の高さ又はフランジ部５３のリブ状片部５４の縦幅を適切に定めることによって、突起３１が、面板部５１を、その面板部５１自体の弾性に抗して押し上げる構成としてある。この構成を採用しておくと、押え部２６が平板部５５を弾性的に下向きに押し付けることになるので、板金部品５０が垂直方向（上下方向）Ｈでがたつくことがない。しかも、突起３１のによる面板部５１の押上げ作用と押え部２６による平板部５５の押下げ作用とによって、光学ベース１０に対して板金部品５０が垂直方向で位置決めされる。したがって、突起３１と押え片部２６とによって、上記の垂直方向位置決め機構Ａが形成されている。
【００２８】
また、図５の事例では、光学ベース１０側の一対の押え部２６，２６が、板金部品５０の一対のフランジ部５３，５３のリブ状片部５４，５４に各別に当接することによって、板金部品５０が一対の押え部２６，２６によって幅方向Ｗに動かないように挟み付けられている。したがって、一対の押え部２６，２６によって上記した幅方向位置決め機構Ｂが形成されている。
【００２９】
図５の事例では、幅方向位置決め機構Ｂが一対の押え部２６，２６によって形成されているけれども、この幅方向位置決め機構Ｂは、図６に示した事例のように、光学ベース１０側にリブ状に形成された平面視Ｕ字形の一対の突条２２，２２（図１参照）の外側突部２５，２５によっても形成することが可能である。この事例では、外側突部２５，２５が、板金部品５０の一対のフランジ部５３，５３の平板部５５，５５に当接することによって、板金部品５０が外側突部２５，２５によって幅方向Ｗに動かないように挟み付けられている。
【００３０】
なお、板金部品５０の面板部５１をその弾性に抗して押し上げている突起３１は、面板部５１の反力で圧潰されていたり、板金部品５０をスライドさせるときに面板部５１と擦れあって圧潰されていたりしてもよい。また、突起３１の数は、座部２１の幅方向中央部の一箇所だけに設けておいてもよい。さらに、突起３１は、図示のような球面を備えた半球状に形成されていても、座部２１の幅方向の１箇所又は２箇所で奥行方向に伸びる円弧面を備えたリブで形成されていてもよい。
【００３１】
図７に示したように、光学ベース１０側にリブ状に形成された平面視Ｕ字形の一対の突条２２，２２（図１参照）のそれぞれの横行部２４に、それに対応する板金部品５０のフランジ部５３のリブ状片部５４及び平板部５５の奥側端面が当接し、かつ、板金部品５０の折曲げ片５６が突条部４１の係合面４２に奥行方向Ｄで係合していることによって、カバー体５０が奥行方向Ｄに動かないように位置決めされている。したがって、光学ベース１０側の横行部２４と突条部４１とによって上記した奥行方向位置決め機構Ｃが形成されている。
【００３２】
図３又は図７に示したところによって判るように、この実施形態では、板金部品５０の一対のフランジ部５３，５３が、板金部品５０の面板部５１の奥行方向に伸びる板片形状を有していて、それらのフランジ部５３，５３の奥行方向全長部分が面板部５１に連設されているのに対し、光学ベース１０側の突起３１，３１が、一対のフランジ部５３，５３の対向領域（図７にはこの対向領域の奥行方向長さを符号Ｌで示した）内で面板部５１を押し上げている。図７には、突起３１，３１による面板部５１の押上げ位置を符号Ｆで示してある。
【００３３】
この構成を採用すると、Ｌ字形のフランジ部５３が、面板部５１を補強してその面板部５１の反返り変形を生じにくくしていると共に、そのようなフランジ部５３による補強の影響が顕著に及ぶ面板部５１の上記対向領域を突起３１が押し上げるように作用する。そのため、板金部品５０に対する上記した垂直方向位置決め機構Ａによる垂直方向での位置決め作用が確実に発揮されることは勿論、板金部品５０が光学ベース１０にがたつきなく強固に取り付けられることになる、という卓越した作用が発揮される。
【００３４】
この実施形態では、板金部品５０が光学ベース１０に取り付けられる可動子としての光学アクチュエータ７０の取付スペース（凹入部７４）の周囲に配備されるカバー体６０を構成している事例を説明したけれども、この点は、板金部品が、光学ベース１０の裏面側などの他の箇所に取り付けられるカバー体を構成するものであってもよい。
【００３５】
また、図３や図７に示した奥行方向Ｄは、奥行の前側方向及び後側方向の両方を含む方向を意味していて、この奥行方向Ｄは、光ピックアップがディスクの記録面を操作中に走行する方向（ディスク半径方向）に直交する方向である。また、幅方向Ｗは光ピックアップがディスクの記録面を操作中に走行する方向（ディスク半径方向）に一致する方向である。さらに、垂直方向（上下方向）Ｈは、光学ベース１０が水平に配備されている場合の垂直方向を意味している。
【００３６】
なお、説明の便宜上、図１〜図１１においては、同一又は相応する部分には同一の符号を付してある。
【符号の説明】
【００３７】
Ｂ  幅方向位置決め機構
Ｃ  奥行方向位置決め機構
Ｄ  奥行方向
Ｈ  垂直方向（上下方向）
Ｓ  スライド空間
Ｗ  幅方向
１０  光学ベース
２６  押え部
２８  段差部
３１  突起
４１  突条部
４２  係合面
４３  乗上りガイド面
５０  板金部品
５１  面板部
５３  フランジ部
５４  リブ状片部
５５  平板部
５６  折曲げ片
６０  カバー体
７０  光学アクチュエータ
７４  凹入部（光学アクチュエータの取付スペース）
【図１】
2012155811.tif 000003
【図２】
2012155811.tif 000004
【図３】
2012155811.tif 000005
【図４】
2012155811.tif 000006
【図５】
2012155811.tif 000007
【図６】
2012155811.tif 000008
【図７】
2012155811.tif 000009
【図８】
2012155811.tif 000010
【図９】
2012155811.tif 000011
【図１０】
2012155811.tif 000012
【図１１】
2012155811.tif 000013